(57)【要約】【課題】  モジュラージャックによる複数本のケーブルの一括接続、接続解除を行う。【解決手段】  モジュラージャック用アダプタ１０では、押さえバー２０ａ、支持バー２０ｂでモジュラージャック挟持部材２０を構成し、かかる押さえバー２０ａ、支持バー２０ｂを、間隔調節手段３０を介して連結する。押さえバー２０ａには、位置可変に複数のストッパ押さえ部材４０を設ける。相対する押さえバー２０ａと支持バー２０ｂとの間に、ハブ等に接続した複数本のケーブルのモジュラージャックを介在させ、個々のモジュラージャックにストッパ押さえ部材４０を対応させる。この状態で間隔調節手段３０により両バー間の間隔を狭め、複数個のモジュラージャックのストッパをコネクタ部への係合状態が解除できるように押さえた状態でモジュラージャックを引き抜き、複数本のケーブルの一括接続解除を行う。【選択図】  図１
2006019207.tif 000002
【特許請求の範囲】
【請求項１】
挿脱方向を揃えて一方向に並んだ複数のモジュラージャック列を長手方向に沿って両側から挟む一対のバーからなるモジュラージャック挟持部材と、
前記一対のバーを連結し、その相対間隔を調節する間隔調節手段と、
前記一対のバーの一方に、前記モジュラージャック列を構成する各モジュラージャックのストッパ部に対向するように設けた複数のストッパ押さえ部材とを有していることを特徴とするモジュラージャック用アダプタ。
【請求項２】
請求項１記載のモジュラージャック用アダプタにおいて、
前記ストッパ押さえ部材は、位置可変に設けられていることを特徴とするモジュラージャック用アダプタ。
【請求項３】
請求項１または２記載のモジュラージャック用アダプタにおいて、
前記モジュラージャック挟持部材は、前記間隔調節手段の間隔調節方向に沿って、複数設けられていることを特徴とするモジュラージャック用アダプタ。
【請求項４】
複数本のケーブルのモジュラージャックを複数のコネクタ部に、挿脱方向を揃えて一括挿脱して、前記ケーブルの接続あるいは接続解除を行うケーブルの接続方法あって、
前記モジュラージャックの一括挿脱は、前記複数のモジュラージャックのストッパ部を、一括押さえ手段で一括して押さえながら行うことを特徴とするケーブル接続方法。
【請求項５】
請求項４記載のケーブル接続方法において、
前記モジュラージャックの一括挿脱は、縦方向と横方向に複数設けた前記コネクタ部に対して前記複数のモジュラージャックを一括挿脱して行うことを特徴とするケーブル接続方法。
【請求項６】
請求項４または５記載のケーブル接続方法において、
前記一括押さえ手段は、請求項１〜３のいずれか１項に記載のモジュラージャック用アダプタとして構成されていることを特徴とするケーブル接続方法。
【発明の詳細な説明】
【技術分野】
【０００１】
本発明は、通信ケーブル等のケーブルの接続技術に関し、特に、ハブ等における通信ケーブルの一括着脱に適用して有効な技術である。
【背景技術】
【０００２】
以下に説明する技術は、本発明を完成するに際し、本発明者によって検討されたものであり、その概要は次のとおりである。
【０００３】
近年、工場、オフィス等では、積極的にＬＡＮの構築が行われ、複数のコンピュータ、ファクシミリ、電話等の端末が機能的に接続され、情報の共有、情報の伝達等が効率的に行われるようになっている。かかる      ＬＡＮの構築に際しては、個々の端末を直接通信ケーブル等で接続するのではなく、例えばスイッチングハブ、あるいはハブ等と呼ばれる集線装置を介して行われている。
【０００４】
通信ケーブルは、その先端にモジュラージャックと呼ばれるプラスチック製のプラグが装着され、モジュラージャックのストッパ（爪とも呼ばれる）を押さえたり、開放したりして、ハブの通信ケーブルのポートと呼ばれる装着口のコネクタ部分に挿脱方向を揃えて着脱自在に接続される。
【０００５】
一方、映像表示装置や映像録画装置等のオーディオビジュアル機器の接続には、ピンジャックコードを用いた接続手段が採用されている。かかるピンジャックコードによる接続では、複数の異なる端子接続が確実に行えるように、オーディオビジュアル機器の外部端子と、それに対応するピンジャックコードとは、同一の色同士を対応させて接続するようになっている。
【０００６】
しかし、多数本のピンジャックコードを多数の外部端子に個々に接続するに際しては、色分け対応を行っていても間違える場合が発生する。さらには、外部端子の設置箇所は、機器背面の比較的狭い場所に設けられている場合もあり、個々に色分けを確認しながら接続を行うのが面倒な場合もある。
【０００７】
そこで、特許文献１では、かかる多数本のピンジャックコードの接続を間違いなく、円滑に行えるように、予め外部端子の位置に対応した保持部を設けた躯体に、多数本のピンジャックを保持させた上で、まとめて外部端子に挿入するピンジャックアダプタが提案されている。
【特許文献１】特開２０００−２６０５２６号公報
【発明の開示】
【発明が解決しようとする課題】
【０００８】
上記の如く、ピンジャックアダプタの外部端子への挿入に際しては、端子接続に際しての間違い、面倒さ等を解消するために、ピンジャックをまとめて挿入できるようなアダプタの提案がなされているが、前記ハブにおける通信ケーブルの接続においても種々の問題が発生しており、本発明者は、かかるハブ等における通信ケーブルの接続に際しても、一括着脱の技術開発が必要と考えた。
【０００９】
前述の如く、モジュラージャックを用いた通信ケーブルのハブへの接続は、通信ケーブルの一端に設けたモジュラージャックのストッパがポートのコネクタ部に係止されてカチッと音がするまで押し込むことで簡単に行える。
【００１０】
しかし、かかる通信ケーブルの接続を外す場合には、コネクタ部に係止しているストッパを押さえながらストッパによる係止を解除しつつ、モジュラージャックを引き抜く作業が必要となり、接続の場合よりも面倒である。ストッパを適切に押さえつけないと、モジュラージャックのポートからの円滑な引き抜きが行えず、無理に引き抜くとモジュラージャックの欠け等が発生する場合もある。
【００１１】
ＬＡＮ等の普及に伴い、前記の如く通信切替え装置として機能するスイッチングハブ等の、所謂ハブは、小型で多数本の通信ケーブルが接続できるように機能向上が図られてきた。多数本の通信ケーブルが小型のハブに集中して配線接続されることで、多数本の配線接続に伴う配線ルートの乱雑さや、接続機器間の対応の分かり難さ等が解消され、通信ケーブルの接続に際してのこれまでの面倒さ等の種々の問題が解消した。
【００１２】
しかし、上述の如く、通信ケーブルを外すに際しては、特許文献１に記載のようなピンジャックの場合とは異なり、単に引き抜くだけでは外れず、ストッパを押さえながら引き抜くことが求められる。そのため、小型化を進めることで、狭いスペースに多数本の通信ケーブルを接続するように構成された状態では、指を十分に差し込める程のスペースが確保できない場合もあり、狭いスペースに多くの通信ケーブルが密集した状態で、ストッパを確実に押さえながら通信ケーブルを引く抜き作業は、想像以上に面倒な作業となる。
【００１３】
ハブの小型化が積極的に進められる結果、通信ケーブルを接続するポート間の間隔が極力狭く設定され、さらには、複数段にポートが設けられている場合もある。かかる構成のポートでは、一旦、通信ケーブルの接続替えが発生した場合には、上記の如く、指が十分に入らないようなスペースで、モジュラージャックの下側とストッパの上とを指先で挟んで、ストッパに掛けた方の指でストッパを強く押さえながら引き抜く作業は、非常にし難い作業となる。数本の通信ケーブルならともかく、何十本にも及ぶ多数本の通信ケーブルを個別に外すとなると、かかる接続解除の作業だけでも、かなりの手間と時間がかかる。
【００１４】
通信ケーブルの接続替えが必要となる場合としては、ハブの機器故障、あるいは置き換え、あるいはレイアウト変更等が想定されるが、特にハブの機器故障に際しては、突然に機能停止等が発生するため、早急の機能復旧が求められる。一刻も早い、緊急の接続替えが必要となる。指が届き難い狭いスペースで、指先でストッパを押さえながらモジュラージャックの引き抜きを時間に急かされて行うと、往々にして、モジュラージャックの一部を欠く等の破損を発生させることとなる。場合によっては、通信ケーブル自体の使用が懸念される事態も発生する。
【００１５】
また、多数本の通信ケーブルを個別に接続替えするに際しては、上記の如く、取り外しに手間と時間がかかるだけでなく、新しいハブへの差替えに際して、接続位置を間違えるミスも発生し易い。複数本の通信ケーブルを先に外した場合等に、特にかかるミスが発生し易い。かかる差替えミスが発生しないのであれば、作業効率としては、複数本の通信ケーブルを先に全部外しておき、その後に新しいハブへの接続を行う方が能率的である。ミスの発生を危惧する余り、一本ずつ外しては新しい接続を行うのでは、作業効率は頗る悪い。
【００１６】
本発明の目的は、モジュラージャックを用いた複数本のケーブルの接続、接続解除を複数本一括して行うようにすることにある。
【００１７】
本発明の前記ならびにその他の目的と新規な特徴は、本明細書の記述および添付図面から明らかになるであろう。
【課題を解決するための手段】
【００１８】
本願において開示される発明のうち、代表的なものの概要を簡単に説明すれば、次のとおりである。
【００１９】
すなわち、複数のコネクタ部に複数のケーブルを接続させた状態に対応させて、複数のモジュラージャックに設けた複数のストッパ部を一括して押さえることにより、複数のケーブルの前記コネクタ部との間での一括接続、あるいは一括接続解除が行える。
【発明の効果】
【００２０】
本願において開示される発明のうち、代表的なものによって得られる効果を簡単に説明すれば以下のとおりである。
【００２１】
通信ケーブル等のケーブルとハブ等の機器との接続解除、接続を、接続に関わる複数本のケーブルを一括して行うことができる。個々のケーブル毎に、接続解除、接続を行うのとは異なり、接続解除、接続に関わる手間と時間を削減することができる。
【００２２】
また、元の機器におけるケーブルの接続順を維持した状態で、新たな機器への差替えが行えるため、接続替えに際して発生し易い差替え間違いを発生させることがない。
【発明を実施するための最良の形態】
【００２３】
以下、本発明の実施の形態を図面に基づいて詳細に説明する。なお、実施の形態を説明するための全図において、同一の部材には原則として同一の符号を付し、その繰り返しの説明は省略する場合がある。
【００２４】
本発明は、モジュラージャックを用いたケーブルの接続に関して、複数本のケーブルを一括して接続、あるいは接続解除することができる技術である。これまでは、ケーブル毎に接続、あるいは接続解除を行っていたものを、複数本を一括して行うことで、時間と手間とを格段に削減することができる極めて有用な技術である。
【００２５】
（実施の形態１）
本実施の形態では、本発明に係わるモジュラージャック用アダプタについて説明する。図１（ａ）は本発明に係わるモジュラージャック用アダプタの正面図であり、（ｂ）は上方からみた様子を示す平面図であり、（ｃ）は一端側からみた様子を示す側面図である。図２（ａ）はモジュラージャックの構成を模式的に示す斜視図であり、（ｂ）はケーブルの接続口であるポートの構成状況を模式的に示す斜視図である。
【００２６】
本発明に係わるモジュラージャック用アダプタ１０は、図１（ａ）に示すように、相対して設けられる一対のバーからなるモジュラージャック挟持部材２０と、一対のバー間の相対間隔を調節する間隔調節手段３０と、モジュラージャックのストッパの押さえを行うストッパ押さえ部材４０とを有している。
【００２７】
モジュラージャック挟持部材２０は、図１（ａ）に示すように、上下に相対して設けられる一対のバーから構成され、上方に位置させるバーは、例えば細長い板状に形成され、ハブ等にケーブルが接続された状態で、ハブのポートから外側に出ているモジュラージャック部分を上方から押さえることができる程度の幅を有する押さえバー２０ａに構成されている。
【００２８】
かかる構成の押さえバー２０ａに対して、下方に相対して設けるバーは、図１（ａ）に示すように、別体に形成され、ハブ等にケーブルが接続された状態で、ハブのポートから外側に出ているモジュラージャック部分を下方から支持することができる程度の幅を有する支持バー２０ｂに構成されている。
【００２９】
一対のバー、すなわち押さえバー２０ａ及び支持バー２０ｂから構成されたモジュラージャック挟持部材２０は、相対する押さえバー２０ａ、支持バー２０ｂの間隔を適宜調節することができる間隔調節手段３０を介して、上下に連結されている。図１（ａ）に示す場合には、間隔調節手段３０は、ネジ調節手段３０ａに構成されている。
【００３０】
ネジ調節手段３０ａは、ネジ部材３１と、かかるネジ部材３１に螺合させるナット部材３２とから構成されている。図１（ａ）に示す場合には、ネジ部材３１は、支持バー２０ｂの両端側に垂直方向に向けて設けた雄ネジ３１ａに構成されている。一方、押さえバー２０ａには、両端側にネジ孔２１が設けられ、押さえバー２０ａと支持バー２０ｂとを相対させた状態で、ネジ孔２１に、支持バー２０ｂの雄ネジ３１ａが貫通するように構成されている。
【００３１】
すなわち、支持バー２０ｂをモジュラージャックの下方に位置させた状態で、モジュラージャックの上方に押さえバー２０ａを相対させ、押さえバー２０ａの両端側のネジ孔２１に、支持バー２０ｂの両雄ネジ３１ａを通すことができるようになっている。この状態で、図１（ａ）に示すように、雄ネジ３１ａに蝶ナット３２ａを螺合させ、蝶ナット３２ａの雄ネジ３１ａへの螺合量を調節することで、押さえバー２０ａと支持バー２０ｂとの相対間隔を調節することができる。
【００３２】
押さえバー２０ａには、図１（ｂ）に示すように、その長手方向に沿って、長孔２２が設けられ、かかる長孔２２をガイドとしてスライドさせることでストッパ押さえ部材４０が位置可変に設けられている。ストッパ押さえ部材４０は、図１（ａ）に示すように、押さえバー２０ａの支持バー２０ｂに対面する側に設けられる押さえ本体４１と、押さえ本体４１に設けたネジ穴４２に螺合する押さえネジ４３とから構成されている。
【００３３】
押さえネジ４３は、ワッシャ４４を介してネジ部分を長孔２２に通した状態で、押さえバー２０ａの裏面に設けた押さえ本体４１のネジ穴４２に螺合されている。押さえネジ４３のネジ部分を長孔２２にガイドさせることで、押さえ本体４１を押さえバー２０ａの長手方向に沿ってスライドさせ、ストッパ押さえ部材４０の位置を自在に変えることができるようになっている。押さえネジ４３を、押さえ本体４１のネジ穴４２へきつく螺合させることで、ストッパ押さえ部材４０の位置固定が行える。
【００３４】
押さえ本体４１は、図１（ａ）に示すように、モジュラージャックのストッパに接触するストッパ接触部４１ａの両側方に側壁部４１ｂを設けて、下側開放端に凹部形状が形成されている。ストッパを押さえるだけであれば、ストッパ接触部４１ａのみの構成でも構わないが、図１（ａ）に示す構成では、側壁部４１ｂを設けることで、ストッパの押さえに際して、ストッパを設けたモジュラージャックをも凹部に抱え込むことができるようになっている。このため、ストッパ接触部４１ａが、万が一にもストッパから外れる虞がない。
【００３５】
尚、上記説明の押さえバー２０ａ、支持バー２０ｂは、所定厚さの金属板等の金属製に構成しておけばよい。さらには、金属板上に硬質ゴム等を被覆させてもよい。ストッパ押さえ部材４０の押さえ本体４１は、硬質ゴム等の樹脂成形品に構成しておけばよい。
【００３６】
また、上記説明では、ストッパ押さえ部材４０を、押さえバー２０ａに位置可変に設けた場合を示したが、適用するケーブル接続が一様である場合には、当初からケーブル接続に使用するポート間隔に固定しておいても構わない。位置可変に構成することで、種々のポート間隔のケーブル接続に対応できるように配慮したが、かかる配慮が必要ない場合には固定しておいても構わない。かかる構成では、長孔２２の構成は必要なく、単に、押さえ本体４１を、押さえバー２０ａの押さえネジ４３で適宜締めつけ可能に設けておけばよい。
【００３７】
以上に説明の構成を有するモジュラージャック用アダプタ１０を用いることで、複数本のケーブルがモジュラージャックによりハブ等の機器のポートに接続された状態の接続解除を、複数本を一括して行うことができる。併せて、本発明に係わるモジュラージャック用アダプタを使用すれば、接続解除したケーブルの接続順を維持しなから接続解除することができるので、同様のケーブルの接続順が求められる機器へのケーブル接続も、複数本一括して行うことができる。極めて効率的なケーブルの接続解除、接続が行える。
【００３８】
本発明に係わるケーブル接続方法は、モジュラージャックを用いて、ハブ等の機器のポートに複数本のケーブルを接続した状態で、複数本のケーブルを一括して接続解除する技術であるが、上記説明の本発明に係わるモジュラージャック用アダプタ１０を用いれば、かかる一括解除が、極めて簡単に行うことができる。
【００３９】
本発明に係わるケーブルの接続方法の適用に際しては、図２（ａ）に模式的に示す構成のモジュラージャック５０を用いてケーブル６０の接続を行うことを前提としている。モジュラージャック５０は、既に公知の構成で種々の形式があるが、その概略構成の一例を示した。
【００４０】
モジュラージャック５０は、差込み本体５１と、その上面５１ａ上に設けられたストッパ５２を有している。差込み本体５１の後方にはケーブル６０が差し込まれ、差込み本体５１の正面に設けた、図示はしない端子接触部に差込み本体５１の内部から電気的に接続されている。差込み本体５１を矢印方向に挿入して差し込むことで、ストッパ５２に設けた小突起５３が、例えば、図２（ｂ）に示すハブ７０ａ等の機器７０のポート７１に設けたコネクタ部７２の係合凹部に嵌まって係合することができるようになっている。
【００４１】
このようにして接続した状態は、ストッパ５２を押さえることで、それまで係合していた小突起５３の係合状態が解除され、ストッパ５２を押さえた状態を維持しながら、差込み本体５１を引き抜くことで接続解除が行える。
【００４２】
例えば、図２（ｂ）に示すハブ７０ａの複数のポート７１に、それぞれ図２（ａ）に示すようなモジュラージャック５０を用いてケーブル６０が複数本接続されている場合を想定して、以下説明する。かかる複数本のケーブル６０が接続された状態から複数本一括して接続解除するには、上記説明の構成のモジュラージャック用アダプタ１０を以下の要領で用いることで行う。
【００４３】
先ず、図３（ａ）に示すように、複数本のケーブル６０がモジュラージャック５０を介して、その挿脱方向（図中両矢印で表示）が揃った状態で、ハブ７０ａの複数のポート７１に接続されている。かかる状態で、図３（ｂ）に示すように、先ず、モジュラージャック挟持部材２０のうち支持バー２０ｂに構成した方を、ハブ７０ａの複数のポート７１に接続されているケーブル６０のモジュラージャック５０の下方に差し込むようにして位置させる。
【００４４】
この状態を維持しながら、図３（ｃ）に示すように、押さえバー２０ａを、支持バー２０ｂの雄ネジ３１ａがネジ孔２１に通るように相対配置する。ネジ孔２１を通した雄ネジ３１ａに蝶ナット３２ａを螺合させる。この状態では、ハブ７０ａに接続した複数本のケーブル６０の複数のモジュラージャック５０が一方向に並んだモジュラージャック列が、一括して、押さえバー２０ａとこれと相対して位置させた支持バー２０ｂとの間に介在させられている。図４（ａ）には、かかる状況を、ストッパ押さえ部材４０の箇所における断面状況で示した。
【００４５】
この状態を維持しながら、押さえバー２０ａに位置可変に設けたストッパ押さえ部材４０を長孔２２に適宜スライドさせながら、個々のストッパ押さえ部材４０を、押さえバー２０ａと支持バー２０ｂとの間に介在させられたケーブル６０の複数個のモジュラージャック５０に対応して位置合わせする。
【００４６】
ストッパ押さえ部材４０は、かかる位置合わせが終了次第、押さえネジ４３をドライバ等で回して押さえ本体４１のネジ孔４２にきつく螺合させて位置固定する。このようにしてストッパ押さえ部材４０の位置固定が終了した後は、間隔調節手段３０を構成する蝶ナット３２ａの雄ネジ３１ａに対する螺合量を深くする。ストッパ押さえ部材４０によるストッパ５２の押さえが、ストッパ５２に設けた小突起５３のコネクタ部７２における係合状態が解除できる程度まで、螺合量を深くして、モジュラージャック５０のストッパを一括して押さえる。図４（ｂ）に、かかる状況を、ストッパ押さえ部材４０の箇所における断面状況で示した。
【００４７】
このようにして複数のモジュラージャック５０のストッパ５２を一括して押し下げた状態で、モジュラージャック５０を挿脱方向に沿ってモジュラージャック用アダプタ１０を引くと、それまでモジュラージャック用アダプタ１０のストッパ押さえ部材４０に個々に押さえ込まれていたモジュラージャック５０が、一括して、ハブ７０ａの複数のポート７１から引き抜かれる。
【００４８】
また、このようにして複数本のケーブル接続が一括解除された状態では、モジュラージャック用アダプタ１０に、複数個のモジュラージャック５０がその接続順序が維持された状態で保持されているため、例えば、同じケーブルの接続順が求められる他のハブ７０ａに、モジュラージャック用アダプタ１０に保持されたモジュラージャック５０をその状態で差し込めば、複数本のケーブル６０のモジュラージャック５０を一括挿入することができる。
【００４９】
かかるモジュラージャック５０の一括挿入状態を維持しながら、間隔調節手段３０の蝶ナット３２ａの螺合量を浅くするように緩めれば、それまでモジュラージャック５０のストッパ５２を押さえていたストッパ押さえ部材４０によるストッパ５２の押さえが解除される。かかるストッパ５２の押さえの解除により、ストッパ５２に設けた小突起５３が、コネクタ部７２の係合凹部に係合して、ケーブル６０のモジュラージャック５０を用いた一括接続が行えることとなる。
【００５０】
例えば、機器故障により、緊急にケーブルの差替えが発生したときでも、本発明に係わるモジュラージャック用アダプタ１０を上記の如く使用すれば、複数本一括しての接続解除と、交換用の予備の機器へのケーブルの一括接続ができるため、接続順の間違え等も発生させず、短時間で確実なケーブルの差替えが行える。
【００５１】
上記構成の説明では、ストッパ押さえ部材４０が５個ある場合を例に挙げて説明したが、ストッパ押さえ部材４０の数は、適用するケーブルの接続本数に合わせて適宜数を決めればよい。特に、上記説明の構成では、ストッパ押さえ部材４０は、押さえネジ４３により押さえ本体４１を押さえバー２０ａに吊り下げ状態に設ける構成を採用しているため、必要に応じて、ストッパ押さえ部材４０の追加、あるいは取り外しが容易に行え、かかるストッパ押さえ部材４０の数調整が簡単に行える。
【００５２】
また、モジュラージャック５０の規格も複数種類ある場合には、異なる規格のモジュラージャック５０に対応した押さえ本体４１を適宜に交換することで、種々の規格のモジュラージャック５０に対応することができる。
【００５３】
（実施の形態２）
前記実施の形態では、横方向に複数列のポート７１が設けられた構成のハブ７０ａにおけるケーブル接続の状況を想定した場合を例に挙げて説明したが、機器の中には、図５に示すように、横方向に複数列、縦方向に複数段と、狭いポート間隔で縦横にポートを設けた構成も見られる。
【００５４】
本実施の形態では、かかる構成に適用できる本発明に係わるモジュラージャック用アダプタ１００について説明する。図６（ａ）は、複数段のケーブル接続を一括して接続解除したり、接続したりできるように構成した本発明に係わるモジュラージャック用アダプタの正面図であり、（ｂ）は上方からみた平面図であり、（ｃ）は一端側からみた様子を示す側面図である。
【００５５】
モジュラージャック用アダプタ１００の構成は、図６（ａ）に示すように、図１（ａ）に示したモジュラージャック用アダプタ１０の構成を、上下に一対ずつ、双方の支持バー２０ｂ側で接続する構成を有している。すなわち、モジュラージャック用アダプタ１００は、上方側構成部分１００ａと、下方側構成部分１００ｂとが、間に間隔調整部材２００を介在させて接続された構成となっている。
【００５６】
上方側構成部分１００ａは、図１に示すと同様に、前記実施の形態で説明した機能を持たせた押さえバー２０ａ、支持バー２０ｂ、ストッパ押さえ部材４０、間隔調節手段３０から構成されている。下方側構成部分１００ｂも、上方側構成部分１００ａと同様に、押さえバー２０ａ、支持バー２０ｂ、ストッパ押さえ部材４０、間隔調節手段３０から構成されている。
【００５７】
上方側構成部分１００ａと、下方側構成部分１００ｂとは、双方の支持バー２０ｂ同士が、ワッシャ２００ａ、２００ｂに構成した間隔調整部材２００を介在させた状態で、両支持バー２０ｂを上下に貫通する雄ネジ３１ｂ（３１）により接続されている。支持バー２０ｂ同士は、図６（ａ）に示すように、両支持バー２０ｂ側に設けたナット３３を雄ネジ３１ｂに螺合させることで緊結されている。
【００５８】
支持バー２０ｂ同士を連結する際に介在させた間隔調整部材２００の使用は、例えば、図５に示す構成の複数段のポート７１の上下間隔に合わせることができるように、適宜、厚さの異なるワッシャ２００ａ、２００ｂ等を組み合わせて行う。
【００５９】
かかる構成のモジュラージャック用アダプタ１００を用いて、縦横方向に複数のケーブル６０が接続されているケーブル接続の一括解除を行うには、予め、上方側構成部分１００ａと下方側構成部分１００ｂとの双方の支持バー２０ｂ同士を間隔調整部材２００を介して連結しておいたものを、上下に複数本のケーブル６０が接続されている状態で、上下のケーブル接続に関与している複数のモジュラージャック５０の上下間に差し込む。
【００６０】
このようにして差し込んだ状態で、前記実施の形態１で説明したと同様の要領で、上方側構成部分１００ａの押さえバー２０ａと、下方側構成部分１００ｂの押さえバー２０ａとを、それぞれ支持バー２０ｂに相対させる。その状態で、押さえバー２０ａの両端側のネジ孔２１を貫通した雄ネジ３１ｂに蝶ナット３２ａを螺合させて、ネジ調節手段３０ａに構成した間隔調節手段３０により、上方側構成部分１００ａ、下方側構成部分１００ｂのそれぞれの押さえバー２０ａと支持バー２０ｂとを、相対間隔の調節可能に連結する。
【００６１】
このようにして上下で押さえバー２０ａと支持バー２０ｂとが接続された状態では、ハブ７０ａの上方側に接続された複数本のケーブル６０の複数のモジュラージャック５０は、上方側構成部分１００ａを構成する押さえバー２０ａ、支持バー２０ｂの間に介在させられる。同様に、ハブ７０ａの下方側に接続された複数本のケーブル６０の複数のモジュラージャック５０は、下方側構成部分１００ｂを構成する押さえバー２０ａ、支持バー２０ｂの間に介在させられる。
【００６２】
この状態で、上方側構成部分１００ａ、下方側構成部分１００ｂの間隔調節手段３０を構成する蝶ナット３２ａで雄ネジ３１ｂを徐々に締めつけることで、上方側構成部分１００ａ、下方側構成部分１００ｂのストッパ押さえ部材４０が上下のケーブル接続に関係しているモジュラージャック５０のストッパ５２を押さえて、ストッパ５２に設けた小突起５３のコネクタ部７２に設けた係合凹部からの解除を行わせることができる。
【００６３】
この状態で、モジュラージャック用アダプタ１００を、モジュラージャック５０の挿脱方向に引っ張ることで、上下縦横に複数本のケーブル６０が接続した状態を、一括して接続解除することができる。また、かかる状態では、モジュラージャック用アダプタ１００には上下縦横に接続された元のケーブル接続の接続順が維持されているので、同様のケーブル接続順を有する機器へのケーブル差替えが、差替えミスを発生させることなく簡単に行える。
【００６４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００６５】
例えば、前記実施の形態１で示したモジュラージャック用アダプタ１０の構成では、支持バー２０ｂに雄ネジ３１ａが設けられているが、かかる雄ネジ３１ａは所要の高さを有しているため、上下に複数段のケーブル接続が行われている場合には、雄ネジ３１ａが邪魔になり、支持バー２０ｂを上下の複数本のケーブル間に差込み難くなる。そこで、図７に示すように、雄ネジ３１ａを一方の側には敢えて設けずに、支持バー２０ｂに内側にネジ溝を設けたネジ孔２３を設けるように構成しても構わない。
【００６６】
かかるネジ孔２３に対しては、押さえバー２０ａを支持バー２０ｂと相対させた状態で、押さえバー２０ａのネジ孔２１から、長い雄ネジ部分を有する蝶ネジを通し、この蝶ネジの雄ネジ部分を支持バー２０ｂのネジ孔２３に螺合させるようにすれば、押さえバー２０ａと支持バー２０ｂとを、相対間隔調節可能に連結することができる。
【００６７】
かかる構成を採用すれば、ネジ孔２３を設けた方から、上下に複数段のケーブル接続が行われている間に差込み、モジュラージャック列の下側に位置させることができる。複数段のケーブルが接続した状態でも、支持バー２０ｂは容易に上下のモジュラージャック間に差し込むことができる。
【００６８】
前記実施の形態では、上下に相対させた押さえバー２０ａ、支持バー２０ｂの間隔調節手段としてネジ調節手段を採用したが、例えばラチェット式で任意に長さ調節が行える商品名タイラップ等として市販されているような締めつけ手段を用いても構わない。
【００６９】
また、前記実施の形態では、押さえバーと支持バーとは別体として構成されているが、押さえバーと支持バーとの一端側を当初から開口可能に接続しておき、他方の側を適宜開けられるように構成しても構わない。
【００７０】
本発明の適用は、上記説明以外のケーブル接続に対しても適用できるもので、モジュラージャックとコネクタ部とを使用するネットワークケーブル、電話線等の配線の接続、接続解除にも有効に適用することができる。特に、ミッションクリティカルな通信サービスが要求されるネットワークケーブルの接続等では、極めて短時間でのケーブル差替えが行えるので極めて有効に活用することができる。
【産業上の利用可能性】
【００７１】
通信ケーブル等の配線接続技術の分野で有効に利用することができる。
【図面の簡単な説明】
【００７２】
【図１】（ａ）は本発明の一実施の形態であるモジュラージャック用アダプタの構成を示す正面図であり、（ｂ）は平面図であり、（ｃ）は側面図である。
【図２】（ａ）はモジュラージャックの構成の一例を模式的に示す斜視図であり、（ｂ）はハブのポート構成の一例を模式的に示す斜視図である。
【図３】（ａ）〜（ｃ）は、本発明に係わるモジュラージャック用アダプタの使用手順を示す説明図である。
【図４】（ａ）、（ｂ）はモジュラージャック用アダプタの使用状況を模式的に示す説明図である。
【図５】ハブの複数段のポート構成を模式的に示す斜視図である。
【図６】（ａ）は本発明の一実施の形態であるモジュラージャック用アダプタの変形例の構成を示す正面図であり、（ｂ）は平面図であり、（ｃ）は側面図である。
【図７】本発明の一実施の形態であるモジュラージャック用アダプタの変形例に使用する支持バーの構成例を示す説明図である。
【符号の説明】
【００７３】
１０      モジュラージャック用アダプタ
２０      モジュラージャック挟持部材
２０ａ    押さえバー
２０ｂ    支持バー
２１      ネジ孔
２２      長孔
２３      ネジ孔
３０      間隔調節手段
３０ａ    ネジ調節手段
３１      ネジ部材
３１ａ    雄ネジ
３１ｂ    雄ネジ
３２      ナット部材
３２ａ    蝶ナット
３３      ナット
４０      ストッパ押さえ部材
４１      押さえ本体
４１ａ    ストッパ接触部
４１ｂ    側壁部
４２      ネジ穴
４３      押さえネジ
４４      ワッシャ
５０      モジュラージャック
５１      差込み本体
５１ａ    上面
５２      ストッパ
５３      小突起
６０      ケーブル
７０      機器
７０ａ    ハブ
７１      ポート
７２      コネクタ部
１００    モジュラージャック用アダプタ
１００ａ  上方側構成部分
１００ｂ  下方側構成部分
２００    間隔調整部材
２００ａ  ワッシャ
２００ｂ  ワッシャ
【図１】
2006019207.tif 000003
【図２】
2006019207.tif 000004
【図５】
2006019207.tif 000005
【図６】
2006019207.tif 000006
【図７】
2006019207.tif 000007
【図３】
2006019207.tif 000008
【図４】
2006019207.tif 000009